(57)【要約】      （修正有）【課題】引留めクランプを収納する際に、間接活線工具での係合を容易とする電線用クランプカバーを提供する。【解決手段】絶縁体からなる電線用クランプカバーは、内面に引留めクランプ１を収納し、ヒンジによって開閉可能に連結される第１カバー部２０Ａ及び第２カバー部２０Ｂを閉じた際に、一方の側端側に形成される架空電線導入筒部５０と、他方の側端側に形成される碍子接続筒部４０と、碍子接続筒部の上方に縁側電線導入筒部３０が形成されている。第１カバー部２０Ａと第２カバー部２０Ｂとの対向する辺縁に設けられる間接活線工具で係合可能な係合部６０は、縁側電線導入筒部と碍子接続筒部との間に設けられ、対向面に対して３０度以上９０度以下の角度に沿って延在する延在部を有する。【選択図】図２
2018007526.tif 000002
【特許請求の範囲】
【請求項１】
絶縁体からなり内面に引留めクランプを収納する電線用クランプカバーであって、
ヒンジによって開閉可能に連結され、互いに対向する対向面が開口しており内部に前記引留めクランプを収納可能な第１カバー部及び第２カバー部と、
前記第１カバー部及び第２カバー部を閉じた際に、前記第１カバー部及び第２カバー部の一方の側端側に形成される架空電線導入開口部と、
前記第１カバー部及び第２カバー部を閉じた際に、前記第１カバー部及び第２カバー部の他方の側端側に形成される碍子接続開口部と、
前記第１カバー部及び第２カバー部を閉じた際に、前記碍子接続開口部の上方に形成される縁側電線導入開口部と、
前記第１カバー部と前記第２カバー部との対向する辺縁に設けられる間接活線工具で係合可能な係合部と、を設けた電線用クランプカバーにおいて、
前記縁側電線導入開口部と前記碍子接続開口部との間に設けられた前記係合部は、前記対向面に対して３０度以上９０度以下の角度に沿って延在する延在部を有する、電線用クランプカバー。
【請求項２】
前記延在部は、前記対向面に対して４５度以上８５度以下の角度に沿って延在する、請求項１に記載の電線用クランプカバー。
【請求項３】
前記縁側電線導入開口部と前記碍子接続開口部との間に設けられた前記係合部は、第１カバー部側に、前記対向面に直交する方向に突出する凸部を有し、前記第２カバー部側に、凹部を有し、
前記凹部及び前記凸部は、前記第１カバー部及び第２カバー部を閉じた場合に、前記凹部内に前記凸部が挿入されて、互いに係合される、請求項１又は請求項２に記載の電線用クランプカバー。
【請求項４】
前記縁側電線導入開口部と前記碍子接続開口部との間に設けられた前記係合部は、前記第１カバー部側に、前記対向面に直交する方向に突出し二又に分割する係合挟持部を有し、第２カバー部側に、前記対向面に沿った方向に延在する係合差込部を有し、
前記係合挟持部及び前記係合差込部は、前記第１カバー部及び第２カバー部を閉じた場合に、前記係合挟持部の二又の間に前記係合差込部が挟持されて、互いに係合される、請求項１又は請求項２に記載の電線用クランプカバー。
【請求項５】
前記縁側電線導入開口部と前記碍子接続開口部との間に設けられた前記係合部は、前記第１カバー部側に係合凹部を有し、前記第２カバー部側に前記延在部としての係合凸部を有し、
前記係合凹部及び前記係合凸部は、前記第１カバー部及び第２カバー部を閉じた場合に、前記係合凹部の凹部内に前記係合凸部の凸部が挿入されて、互いに係合される、請求項１又は請求項２に記載の電線用クランプカバー。
【請求項６】
前記電線用クランプカバーは、球状の分割体と、前記第１カバー部及び前記第２カバー部に設けられた球状縁側電線導入筒部とを有しており、
前記分割体は、
前記縁側電線導入開口部と前記碍子接続開口部との間に設けられた前記係合部と、
前記縁側電線導入開口部と、前記縁側電線導入開口部の反対側に開口する接続開口部とを形成する球状の前記縁側電線導入筒部と、を有し、前記球状縁側電線導入筒部を挟むように覆うことで、前記第１カバー部及び前記第２カバー部に連結される、請求項１から請求項５のいずれか１項に記載の電線用クランプカバー。
【発明の詳細な説明】
【技術分野】
【０００１】
本発明は、電線用クランプカバーに関する。
【背景技術】
【０００２】
高圧電線は、電柱に架設される場合、引留めクランプに取付けられる。この引留めクランプは、耐張碍子に接続され、耐張碍子を介して電柱に取付けられる。つまり、高圧電線は、引留めクランプ及び耐張碍子により、電柱に架設される。
【０００３】
この引留めクランプは、電線の架設に用いられる際、絶縁性を有するクランプカバーに収納される。クランプカバーは、例えば特許文献１及び特許文献２に示されるように、ヒンジによって開閉可能に連結された一対のカバーである。クランプカバー内に引留めクランプを収納する際は、クランプカバーを開いた状態で内部に引留めクランプを入れて、その後クランプカバーを閉じることで、内部に引留めクランプを収納する。そして、クランプカバーに設けられた一対の係合部を、例えば間接活線工具などを用いて係合して、クランプカバーを閉じた状態で固定する。また、クランプカバーは、側部に架空電線を導入する穴と、反対側の側部に縁側電線を導出する穴とが形成される。また、クランプカバーは、縁側電線を導出する穴と同じ側の側部に、外部の耐張碍子に引留めクランプを接続するための穴も形成される。一対の係合部は、複数箇所に設けられているが、この電線を導入する穴と耐張碍子に引留めクランプを接続するための穴との間にも設けられる。
【先行技術文献】
【特許文献】
【０００４】
【特許文献１】特許第２９４６３２９号公報
【特許文献２】特許第３７１４７３８号公報
【発明の概要】
【発明が解決しようとする課題】
【０００５】
クランプカバーの下端部の係合部は、間接活線工具でも容易に係合できるが、縁側電線を導出する穴と、耐張碍子に引留めクランプを接続するための穴との間にある係合部は、耐張碍子と縁側電線に近い位置にある。従って、この位置にある係合部を係合する際には、耐張碍子が障害物となって、間接活線工具をこの係合部に近づけることが困難となり、間接活線工具での係合が困難となる。
【０００６】
本発明は、上記課題を解決するために、縁側電線を導出する穴と、耐張碍子に引留めクランプを接続するための穴との間にある係合部に、クランプカバーの対向面と異なる方向で延在する延在部を設けることにより，クランプカバー側面から間接活線工具を近づけて、間接活線工具での係合を容易とする電線用クランプカバーを提供することを目的とする。
【課題を解決するための手段】
【０００７】
上述した課題を解決し、目的を達成するために、本開示の電線用クランプカバーは、絶縁体からなり内面に引留めクランプを収納する電線用クランプカバーであって、ヒンジによって開閉可能に連結され、互いに対向する対向面が開口しており内部に前記引留めクランプを収納可能な第１カバー部及び第２カバー部と、前記第１カバー部及び第２カバー部を閉じた際に、前記第１カバー部及び第２カバー部の一方の側端側に形成される架空電線導入開口部と、前記第１カバー部及び第２カバー部を閉じた際に、前記第１カバー部及び第２カバー部の他方の側端側に形成される碍子接続開口部と、前記第１カバー部及び第２カバー部を閉じた際に、前記碍子接続開口部の上方に形成される縁側電線導入開口部と、前記第１カバー部と前記第２カバー部との対向する辺縁に設けられる間接活線工具で係合可能な係合部と、を設けた電線用クランプカバーにおいて、前記縁側電線導入開口部と前記碍子接続開口部との間に設けられた前記係合部は、前記対向面に対して３０度以上９０度以下の角度に沿って延在する延在部を有する。特許文献１及び２では，クランプカバーの対向面と係合部が同一方向のため、碍子と縁側電線との狭い空間に，間接活線工具を差し込んで係合するので作業性が悪かった。一方、本開示に係る縁側電線導入開口部と碍子接続開口部との間にある係合部は、延在部を有している。延在部は、対向面に対して３０度以上９０度以下の角度に沿って延在している。従って、この電線用クランプカバーは、碍子や縁側電線の障害となりにくい電線用クランプカバーの側面から、間接活線工具で延在部を操作することができ、係合部を比較的容易に係合できる。
【０００８】
前記電線用クランプカバーにおいて、前記延在部は、前記対向面に対して４５度以上８５度以下の角度に沿って延在することが好ましい。
【０００９】
前記電線用クランプカバーにおいて、前記縁側電線導入開口部と前記碍子接続開口部との間に設けられた前記係合部は、第１カバー部側に、前記対向面に直交する方向に突出する凸部を有し、前記第２カバー部側に、凹部を有し、前記凹部及び前記凸部は、前記第１カバー部及び第２カバー部を閉じた場合に、前記凹部内に前記凸部が挿入されて、互いに係合されることが好ましい。
【００１０】
前記電線用クランプカバーにおいて、前記縁側電線導入開口部と前記碍子接続開口部との間に設けられた前記係合部は、前記第１カバー部側に、前記対向面に直交する方向に突出し二又に分割する係合挟持部を有し、第２カバー部側に、前記対向面に沿った方向に延在する係合差込部を有し、前記係合挟持部及び前記係合差込部は、前記第１カバー部及び第２カバー部を閉じた場合に、前記係合挟持部の二又の間に前記係合差込部が挟持されて、互いに係合されることが好ましい。
【００１１】
前記電線用クランプカバーにおいて、前記縁側電線導入開口部と前記碍子接続開口部との間に設けられた前記係合部は、前記第１カバー部側に係合凹部を有し、前記第２カバー部側に前記延在部としての係合凸部を有し、前記係合凹部及び前記係合凸部は、前記第１カバー部及び第２カバー部を閉じた場合に、前記係合凹部の凹部内に前記係合凸部の凸部が挿入されて、互いに係合されることが好ましい。
【００１２】
前記電線用クランプカバーは、球状の分割体と、前記第１カバー部及び前記第２カバー部に設けられた球状縁側電線導入筒部とを有しており、前記分割体は、前記縁側電線導入開口部と前記碍子接続開口部との間に設けられた前記係合部と、前記縁側電線導入開口部と、前記縁側電線導入開口部の反対側に開口する接続開口部とを形成する球状の前記縁側電線導入筒部と、を有し、前記球状縁側電線導入筒部を挟むように覆うことで、前記第１カバー部及び前記第２カバー部に連結される。
【発明の効果】
【００１３】
本発明によれば、クランプカバー内に引留めクランプを収納する際、縁側電線を導出する穴と、耐張碍子に引留めクランプを接続するための穴との間にある係合部に、クランプカバーの対向面と異なる方向で延在する延在部を設けることにより、クランプカバー側面から間接活線工具を近づけることが可能となるため、間接活線工具による係合を容易とすることができる。
【図面の簡単な説明】
【００１４】
【図１】図１は、引留めクランプを用いて電線を電柱に架設した状態を示す図である。
【図２】図２は、第１実施形態に係るクランプカバーの内面展開図である。
【図３】図３は、第１実施形態に係るクランプカバーの正面図である。
【図４】図４は、第１実施形態に係るクランプカバーの側面図である。
【図５】図５は、第１実施形態の縁側電線導入筒部の拡大内面展開図である。
【図６】図６は、図４の係合凸部と係合凹部とを係合する方法を説明するための図である。
【図７】図７は、第２実施形態に係るクランプカバーの側面図である。
【図８】図８は、第２実施形態の電線導入筒部の拡大内面展開図である。
【図９】図９は、第３実施形態に係るクランプカバーの側面図である。
【図１０】図１０は、第３実施形態の電線導入筒部の拡大内面展開図である。
【図１１Ａ】図１１Ａは、図９の係合凸部と係合凹部とを係合する方法を説明するための図である。
【図１１Ｂ】図１１Ｂは、図９の係合凸部と係合凹部とを係合する方法を説明するための図である。
【図１２】図１２は、第４実施形態に係るクランプカバーの内面展開図である。
【図１３】図１３は、比較例に係るクランプカバーの内面展開図の一例である。
【図１４】図１４は、比較例に係るクランプカバーの正面図の一例である。
【図１５】図１５は、第２実施形態に係るクランプカバーの内面展開図である。
【図１６】図１６は、第２実施形態に係るクランプカバーの正面図である。
【図１７】図１７は、第３実施形態に係るクランプカバーの内面展開図である。
【図１８】図１８は、第３実施形態に係るクランプカバーの正面図である。
【図１９】図１９は、第４実施形態に係るクランプカバーの正面図である。
【図２０】図２０は、第４実施形態に係るクランプカバーの縁線が上方向の正面図である。
【図２１】図２１は、第４実施形態に係る分割体と本体部とを係合方法を説明する図である。
【発明を実施するための形態】
【００１５】
以下に添付図面を参照して、本発明の好適な実施形態を詳細に説明する。なお、この実施形態により本発明が限定されるものではなく、また、実施形態が複数ある場合には、各実施例を組み合わせて構成するものも含むものである。
【００１６】
（第１実施形態）
図１は、引留めクランプを用いて電線を電柱に架設した状態を示す図である。図１に示すように、電線Ａは、架空電線であり、クランプカバー１０内に収納された引留めクランプ１により引留められる。引留めクランプ１は、耐張碍子である碍子Ｂに接続される。碍子Ｂは、さらに電柱Ｃに設けられた構造体Ｄに接続される。このようにして、電線Ａは、電柱に架設される。
【００１７】
図２は、第１実施形態に係るクランプカバーの内面展開図である。図３は、第１実施形態に係るクランプカバーの正面図である。図２は、第１実施形態に係るクランプカバー１０を開いた状態の正面図であり、図３はクランプカバー１０を閉じた場合の正面図である。また、図２及び図３は、クランプカバー１０の内部に引留めクランプ１を収納した状態を示している。
【００１８】
図２に示すように、引留めクランプ１は、本体部２とくさび部３と電線固定部４と碍子接続部５とを有する。本体部２は、三角体状のくさび部３とスライド可能に連結している。本体部２は、電線Ａの被覆を剥離した部分と、くさび部３の端部が収納されている。
【００１９】
くさび部３は、溝に、電線Ａの被覆を剥離した部分が収納されている。くさび部３には、電線固定部４が取り付けられており、電線固定部４で電線Ａの被覆を剥離した部分を締め付けることで、電線Ａを固定（クランプ）する。碍子接続部５は、本体部２に接続される輪状の部材である。碍子接続部５は、輪の内部に設けられた軸により、碍子Ｂの碍子軸Ｂａに取付けられている。引留めクランプ１は、このようにして電線Ａを引留め、碍子Ｂに接続される。
【００２０】
クランプカバー１０は、このように構成される引留めクランプ１に対して被せられ、引留めクランプ１を内部に収納する絶縁性を有するカバーである。図２に示すように、クランプカバー１０は、第１本体部１２Ａと、第２本体部１２Ｂと、ヒンジ部１４とを有する。第１本体部１２Ａと第２本体部１２Ｂとは、ヒンジ部１４を介して開閉可能に連結された一対のカバーである。クランプカバー１０は、弾性変形可能な絶縁体で構成されている。
【００２１】
図２に示すように、第１本体部１２Ａは、第１カバー部２０Ａと、縁側電線導入筒部３０Ａと、碍子接続筒部４０Ａと、架空電線導入筒部５０Ａと、係合凸部６０Ａと、２つの底部係合凸部７０Ａと、把持部８０とを有する。第２本体部１２Ｂは、第２カバー部２０Ｂと、縁側電線導入筒部３０Ｂと、碍子接続筒部４０Ｂと、架空電線導入筒部５０Ｂと、係合凹部６０Ｂと、２つの底部係合凹部７０Ｂと、把持部８０とを有する。
【００２２】
第１カバー部２０Ａは、表面である対向面２２Ａが開口し、内部に引留めクランプ１を収容可能なカバーである。対向面２２Ａは、開口部の周囲が、上縁部２３ＵＡと下縁部２３ＢＡと側縁部２３ＳＡとで形成される三角形状になっている。第２カバー部２０Ｂは、表面である対向面２２Ｂが開口し、内部に引留めクランプ１を収容可能なカバーである。対向面２２Ｂは、開口部の周囲が、上縁部２３ＵＢと下縁部２３ＢＢと側縁部２３ＳＢとで形成される三角形状になっている。
【００２３】
第１カバー部２０Ａと第２カバー部２０Ｂとは、上縁部２３ＵＡ、２３ＵＢにヒンジ部１４が取り付けられ、ヒンジ部１４を介して開閉可能に連結されている。すなわち、第１カバー部２０Ａと第２カバー部２０Ｂとは、一対のカバーを構成している。第１カバー部２０Ａと第２カバー部２０Ｂとは、閉じられた場合に、対向面２２Ａ、２２Ｂが互いに対向して対向面２２を形成し、これにより一体のカバー部２０を形成する。より詳しくは、第１カバー部２０Ａと第２カバー部２０Ｂとは、閉じられた場合に、上縁部２３ＵＡと上縁部２３ＵＢとが接触し、下縁部２３ＢＡと下縁部２３ＢＢとが接触し、側縁部２３ＳＡと側縁部２３ＳＢとが接触する。
【００２４】
縁側電線導入筒部３０Ａは、第１カバー部２０Ａの対向面２２Ａの側部（側端）に設けられている。より詳しくは、縁側電線導入筒部３０Ａは、上縁部２３ＵＡと側縁部２３ＳＡとが形成する三角形の頂点の位置に設けられている。縁側電線導入筒部３０Ａは、半筒形状となっている。縁側電線導入筒部３０Ｂは、第２カバー部２０Ｂの対向面２２Ｂの側部（側端）に設けられている。より詳しくは、縁側電線導入筒部３０Ｂは、上縁部２３ＵＢと側縁部２３ＳＢとが形成する三角形の頂点の位置に設けられている。縁側電線導入筒部３０Ｂは、半筒形状となっている。縁側電線導入筒部３０Ａと縁側電線導入筒部３０Ｂとは、閉じられた場合に互いに対向して筒状の縁側電線導入筒部３０を形成する。縁側電線導入筒部３０は、図３に示す縁側電線導入開口部３２を形成する。縁側電線導入開口部３２は、電線Ａをカバー部２０の内部に導入可能な穴である。
【００２５】
碍子接続筒部４０Ａは、第１カバー部２０Ａの対向面２２Ａの側部（側端）、ここでは側縁部２３ＳＡと下縁部２３ＢＡとが形成する三角形の頂点の位置に設けられている。言い換えれば、碍子接続筒部４０Ａは、対向面２２Ａの側部（側端）であって、対向面２２Ａに沿って縁側電線導入筒部３０Ａに隣接した位置に設けられており、縁側電線導入筒部３０Ａよりも下方、すなわち下縁部２３ＢＡ側に設けられている。碍子接続筒部４０Ａは、半筒形状となっている。碍子接続筒部４０Ｂは、第２カバー部２０Ｂの対向面２２Ｂの側部（側端）、ここでは側縁部２３ＳＢと下縁部２３ＢＢとが形成する三角形の頂点の位置に設けられている。言い換えれば、碍子接続筒部４０Ｂは、対向面２２Ｂの側部（側端）であって、対向面２２Ｂに沿って縁側電線導入筒部３０Ｂに隣接して設けられており、縁側電線導入筒部３０Ｂよりも下方、すなわち下縁部２３ＢＢ側に設けられている。碍子接続筒部４０Ｂは、半筒形状となっている。
【００２６】
碍子接続筒部４０Ａと碍子接続筒部４０Ｂとは、閉じられた場合に互いに対向して筒状の碍子接続筒部４０を形成する。碍子接続筒部４０は、図３に示す碍子接続開口部４２を形成する。碍子接続開口部４２は、クランプカバー１０の外部の碍子Ｂを、内部の引留めクランプ１に接続するための穴である。碍子接続開口部４２には、碍子軸Ｂａが導入され、碍子接続筒部４０の内部で、碍子軸Ｂａと碍子接続部５とが接続される。碍子Ｂを引留めクランプ１に接続した場合、碍子Ｂは、クランプカバー１０の外部に位置し、碍子接続筒部４０を覆う。
【００２７】
架空電線導入筒部５０Ａは、第１カバー部２０Ａの対向面２２Ａの、縁側電線導入筒部３０Ａと反対側の側部（側端）に設けられている。より詳しくは、架空電線導入筒部５０Ａは、上縁部２３ＵＡと下縁部２３ＢＡとが形成する三角形の頂点の位置に設けられている。架空電線導入筒部５０Ａは、半筒状となっている。架空電線導入筒部５０Ｂは、第２カバー部２０Ｂの対向面２２Ｂの、縁側電線導入筒部３０Ｂと反対側の側部（側端）に設けられている。より詳しくは、架空電線導入筒部５０Ｂは、上縁部２３ＵＢと下縁部２３ＢＢとが形成する三角形の頂点の位置に設けられている。架空電線導入筒部５０Ｂは、半筒状となっている。架空電線導入筒部５０Ａと架空電線導入筒部５０Ｂとは、閉じられた場合に互いに対向して筒状の架空電線導入筒部５０を形成する。架空電線導入筒部５０は、図３に示す架空電線導入開口部５２を形成する。架空電線導入開口部５２は、電線Ａをカバー部２０の内部から外部に導入可能な穴である。
【００２８】
言い換えれば、架空電線導入開口部５２は、第１カバー部２０Ａ及び第２カバー部２０Ｂを閉じた際に、第１カバー部２０Ａ及び第２カバー部２０Ｂの一方の側端側に形成される開口であるということができる。また、碍子接続開口部４２は、第１カバー部２０Ａ及び第２カバー部２０Ｂを閉じた際に、第１カバー部２０Ａ及び第２カバー部２０Ｂの他方の側端側に形成される開口であるということができる。また、縁側電線導入開口部３２は、第１カバー部２０Ａ及び第２カバー部２０Ｂを閉じた際に、第１カバー部２０Ａ及び第２カバー部２０Ｂの他方の側端側であって、碍子接続開口部４２の上方に形成される開口であるということができる。さらに言えば、縁側電線導入開口部３２は、第１カバー部２０Ａ及び第２カバー部２０Ｂを閉じた際に、第１カバー部２０Ａ及び第２カバー部２０Ｂの斜め上方部に設けられた開口であるということもできる。
【００２９】
係合凸部６０Ａは、縁側電線導入筒部３０Ａの、碍子接続筒部４０Ａ側の外周に設けられる。言い換えれば、係合凸部６０Ａは、縁側電線導入開口部３２（縁側電線導入筒部３０Ａ）と碍子接続開口部４２（碍子接続筒部４０Ａ）との間の側縁部２３ＳＡに設けられる。係合凹部６０Ｂは、縁側電線導入筒部３０Ｂの、碍子接続筒部４０Ｂ側の外周に設けられる。言い換えれば、係合凹部６０Ｂは、縁側電線導入開口部３２（縁側電線導入筒部３０Ｂ）と碍子接続開口部４２（碍子接続筒部４０Ｂ）との間の側縁部２３ＳＢに設けられる。係合凸部６０Ａは、縁側電線導入開口部３２と碍子接続開口部４２との間に設けられた係合部６０であるということができる。同様に、係合凹部６０Ａは、縁側電線導入開口部３２と碍子接続開口部４２との間に設けられた係合部６０であるということができる。言い換えれば、係合部６０が、第１カバー部２０Ａ側に係合凸部６０Ａを有し、第２カバー部２０Ｂ側に係合凹部６０Ｂを有するということもできる。係合凸部６０Ａと係合凹部６０Ｂとの形状については後述する。
【００３０】
底部係合凸部７０Ａは、第１カバー部２０Ａの対向面２２Ａの下部、すなわち下縁部２３ＢＡに設けられている。底部係合凸部７０Ａは、一つが碍子接続筒部４０Ａの外周部に設けられており、他の一つが架空電線導入筒部５０Ａの外周部に設けられている。底部係合凸部７０Ａは、凸部が形成される板状の部材である。底部係合凹部７０Ｂは、第２カバー部２０Ｂの対向面２２Ｂの下部、すなわち下縁部２３ＢＢに設けられている。底部係合凹部７０Ｂは、一つが碍子接続筒部４０Ｂの外周部に設けられており、他の一つが架空電線導入筒部５０Ｂの外周部に設けられている。底部係合凹部７０Ｂは、凹部（穴）が形成される板状の部材である。
【００３１】
底部係合凸部７０Ａと底部係合凹部７０Ｂとは、クランプカバー１０が閉じられた際に互いに対向して、底部係合部７０を形成する。作業者は、例えば間接活線工具などの工具を用いて、底部係合凸部７０Ａの凸部を底部係合凹部７０Ｂの凹部に係合させて、第１カバー部２０Ａと第２カバー部２０Ｂとを閉じた状態で固定する。
【００３２】
把持部８０Ａは、第１カバー部２０Ａの対向面２２Ａの下部、すなわち下縁部２３ＢＡに設けられる板状の部材である。把持部８０Ｂは、第２カバー部２０Ｂの対向面２２Ｂの下部、すなわち下縁部２３ＢＢに設けられる板状の部材である。作業者は、ランプカバー１０を開閉する際には、工具で把持部８０Ａ又は把持部８０Ｂを把持して、第１本体部１２Ａ又は第２本体部１２Ｂを動かす。
【００３３】
次に、係合凸部６０Ａ及び係合凹部６０Ｂの形状を説明する。図４は、第１実施形態に係るクランプカバーの側面図である。図５は、第１実施形態の縁側電線導入筒部の拡大内面展開である。図４の左側は、クランプカバー１０を開いた開状態の図であり、右側は、クランプカバー１０を閉じた閉状態の図である。図５は、縁側電線導入筒部３０を正面から見た図であり、言い換えれば、図３の矢印Ｋから縁側電線導入筒部３０と係合凸部６０Ａと係合凹部６０Ｂとを見た図である。図５の左側は開状態の図であり、右側は閉状態の図である。
【００３４】
図４及び図５に示すように、係合凸部６０Ａは、板部６２Ａと凸部６４Ａとを有する。板部６２Ａは、板状の部材である。図５に示すように、板部６２Ａは、末端の接続部６２Ａ１が縁側電線導入筒部３０Ａに接続され、接続部６２Ａ１から先端部６２Ａ２まで延在する。板部６２Ａは、接続部６２Ａ１から先端部６２Ａ２に向かって、方向Ｙ１に沿って延在している。方向Ｙ１は、第１カバー部２０Ａの対向面２２Ａと平行な面に沿った方向であり、さらに言えば、対向面２２Ａと平行な面に沿い、かつ、縁側電線導入開口部３２のヒンジ部１４側の外周から縁側電線導入開口部３２の中心軸に向かう方向である。すなわち、板部６２Ａの表面は、対向面２２Ａと平行な面に沿っている。また、図５に示すように、凸部６４Ａは、板部６２Ａの表面に設けられる突起である。
【００３５】
図４及び図５に示すように、係合凹部６０Ｂは、板部６２Ｂと凹部６４Ｂとを有する。板部６２Ｂは、板状の部材である。図５に示すように、板部６２Ｂは、末端の接続部６２Ｂ１が縁側電線導入筒部３０Ｂに接続され、接続部６２Ｂ１から先端部６２Ｂ２まで延在する。板部６２Ｂは、接続部６２Ｂ１から先端部６２Ｂ２に向かって、方向Ｙ２に沿って延在している。方向Ｙ２は、第２カバー部２０Ｂの対向面２２Ｂと平行な面に沿った方向であり、さらに言えば、対向面２２Ｂと平行な面に沿い、かつ、縁側電線導入開口部３２のヒンジ部１４側の外周から縁側電線導入開口部３２の中心軸に向かう方向である。すなわち、板部６２Ｂの表面は、対向面２２Ｂと平行な面に沿っている。また、図５に示すように、凹部６４Ｂは、板部６２Ａの表面に開口し、板部６２Ａを貫通する穴である。
【００３６】
係合凹部６０Ｂには、延在部６６が設けられている。延在部６６は、末端の基端部６７が係合凹部６０Ｂの先端部６２Ｂ２に固定されており、基端部６７から先端部６８まで延在する。延在部６６は、基端部６７から先端部６８に向かって、方向Ｘ１（延在方向）に沿って延在する。方向Ｘ１は、第２カバー部２０Ｂの対向面２２Ｂに重なる平面から遠ざかる方向である。すなわち、延在部６６は、先端部６８に向かうに従って、対向面２２Ｂと重なる面から遠ざかる。本実施形態では、方向Ｘ１と対向面２２Ｂとの間の角度θ１は、３０度以上９０度以下であり、４５度以上８５度以下であることがより好ましい。すなわち、延在部６６は、先端部６８に向かって、対向面２２Ｂに対して３０度以上９０度以下の角度に沿って延在し、対向面２２Ｂに対して４５度以上８５度以下の角度に沿って延在することがより好ましい。また、対向面２２Ｂに重なる平面と先端部６８との間の距離Ｌ１は、例えば、１ｃｍ以上２．５ｃｍ以下である。また、方向Ｘ１（延在方向）に沿った直線は、碍子接続筒部４０が形成する碍子接続開口部４２の中心軸ＡＸ１に対して、ねじれの位置にあることが好ましい。ねじれの位置とは、２本の直線が平行でなく、かつ、交わらない場合の２本の直線の位置関係のことをいう。ただし、方向Ｘ１は、第２カバー部２０Ｂの対向面２２Ｂに重なる平面から遠ざかる方向であれば、その方向は任意である。
【００３７】
図５に示すように、クランプカバー１０を閉じた場合、板部６２Ａの内側の表面６３Ａと板部６２Ｂの外側の表面６３Ｂとは、対向する。また、延在部６６は、先端部６８に向かって方向Ｘ１に延在している。作業者は、工具でこの延在部６６を把持して、延在部６６を板部６２Ａ側に動かすことにより、凸部６４Ａを凹部６４Ｂに挿入(係合)する。これにより、係合凸部６０Ａと係合凹部６０Ｂとは係合されて、係合部６０を形成する。この場合、表面６３Ａと表面６３Ｂとは、互いに密着され、密着面６３を形成する。密着面６３は、対向面２２に平行な面である。言い換えれば、係合凸部６０Ａと係合凹部６０Ｂとは、クランプカバー１０を閉じて係合された場合に、対向面２２に平行な密着面６３で密着する。なお、クランプカバー１０は、凸部６４Ａが係合凹部６０Ｂに設けられ、凹部６４Ｂが係合凸部６０Ａに設けられていてもよい。また、係合凸部６０Ａ及び係合凹部６０Ｂは、互いに係合されるものであれば、凸部６４Ａと凹部６４Ｂとで係合されるものでなくてもよい。
【００３８】
次に、高所にある電線Ａに取付けられた引留めクランプ１を、クランプカバー１０に収納する方法について説明する。クランプカバー１０内に引留めクランプ１を収納する場合、最初に、作業者は、間接活線工具などの工具で開いた状態のクランプカバー１０を把持し、クランプカバー１０を、高所の電線Ａに取付けられた引留めクランプ１に被せる。その後、作業者は、底部係合凸部７０Ａと底部係合凹部７０Ｂとを工具で挟み、底部係合凸部７０Ａの穴に底部係合凹部７０Ｂの凸部を係合し、底部係合凸部７０Ａと底部係合凹部７０Ｂとを係合する。その後、作業者は、第１カバー部２０Ａを一方の工具で把持して動かないようにし、他方の工具を用いて延在部６６を把持して、延在部６６を第１カバー部２０Ａ側に動かすことで、凹部６４Ｂに凸部６４Ａを係合し、係合凸部６０Ａと係合凹部６０Ｂとを係合する。
【００３９】
ここで、底部係合凸部７０Ａと底部係合凹部７０Ｂとは、電線Ａに取付けられた引留めクランプ１の鉛直方向下側に位置する。すなわち、底部係合凸部７０Ａと底部係合凹部７０Ｂとは、鉛直方向下側に障害物がない。従って、作業者は、下から工具を近づけて底部係合凸部７０Ａと底部係合凹部７０Ｂとを挟むことができる。
【００４０】
図６は、図４の係合凸部と係合凹部とを係合する方法を説明するための図である。一方、図６に示すように、係合凸部６０Ａと係合凹部６０Ｂとは、対向面２２Ａ、２２Ｂに沿って、碍子接続筒部４０（碍子接続開口部４２）に隣接している。言い換えれば、係合凸部６０Ａ及び係合凹部６０Ｂの鉛直方向下側には、碍子接続筒部４０（碍子接続開口部４２）が位置している。上述のように、碍子Ｂは、クランプカバー１０の外側に位置して、碍子接続筒部４０を覆う。従って、係合凸部６０Ａと係合凹部６０Ｂとの鉛直方向下側には、碍子Ｂが存在している。
【００４１】
図６に示すように、作業者は、係合凸部６０Ａと係合凹部６０Ｂとを係合するために、鉛直方向下側からの方向である方向Ｓ１から間接活線工具Ｅを近づけても、碍子Ｂが障害物となって、係合凸部６０Ａと係合凹部６０Ｂとに間接活線工具Ｅを近づけることができない。しかし、第１実施形態においては、クランプカバー１０を閉じた場合、延在部６６は、先端部６８に向かって、対向面２２に対して３０度以上９０度以下の角度に沿って延在する（対向面２２に重なる面から遠ざかる）。従って、作業者は、係合凸部６０Ａと係合凹部６０Ｂとの横方向Ｓ２から、延在部６６に間接活線工具Ｅを近づけることができる。方向Ｓ２は、横方向であるため、碍子Ｂが障害物とならない。従って、作業者は、延在部６６を容易に把持することができる。この延在部６６は、係合凹部６０Ｂに取付けられている。従って、作業者は、延在部６６を把持して動かすことで、係合凹部６０Ｂを係合凸部６０Ａに容易に係合することができる。
【００４２】
以上説明したように、第１実施形態に係るクランプカバー１０は、絶縁体からなり、碍子Ｂを介して構造物に取付けられ、電線Ａを引留める引留めクランプ１を収納する電線用クランプカバーである。クランプカバー１０は、第１カバー部２０Ａ及び第２カバー部２０Ｂと、架空電線導入開口部５２と、碍子接続開口部４２と、縁側電線導入開口部３２と、係合部６０とを有する。第１カバー部２０Ａ及び第２カバー部２０Ｂは、ヒンジ部１４によって開閉可能に連結され、互いに対向する対向面２２Ａ、２２Ｂが開口しており内部に引留めクランプ１を収納可能である。架空電線導入開口部５２は、第１カバー部２０Ａ及び第２カバー部２０Ｂを閉じた際に、第１カバー部２０Ａ及び第２カバー部２０Ｂの一方の側端側に形成される。碍子接続開口部４２は、第１カバー部２０Ａ及び第２カバー部２０Ｂを閉じた際に、第１カバー部２０Ａ及び第２カバー部２０Ｂの他方の側端側に形成される。縁側電線導入開口部３２は、第１カバー部２０Ａ及び第２カバー部２０Ｂを閉じた際に、碍子接続開口部４２の上方に形成される。係合部６０は、第１カバー部２０Ａと第２カバー部２０Ｂとの対向する辺縁に設けられ、間接活線工具で係合可能である。縁側電線導入開口部３２と碍子接続開口部４２との間に設けられた係合部６０（ここでは、係合凹部６０Ｂ）は、対向面２２（ここでは対向面２２Ｂ）に対して３０度以上９０度以下の角度に沿って延在する延在部６６を有する。
【００４３】
第１実施形態に係るクランプカバー１０は、係合部６０に取付けられた延在部６６が、対向面２２に対して３０度以上９０度以下の角度に沿って延在する。作業者は、延在部６６を把持して、係合部６０を係合（係合凸部６０Ａと係合凹部６０Ｂとを係合）することができる。また、延在部６６は、対向面２２に対して３０度以上９０度以下の角度に沿って延在するため、作業者は、碍子Ｂを避けて容易に延在部６６を把持することができる。そのため、作業者は、高所のクランプカバー１０を間接活線工具で比較的容易に係合することができ、かつ、取外しも比較的容易に行うことが可能となる。また言い換えれば、クランプカバー１０は、縁側電線を導出する穴（縁側電線導入開口部３２）と、碍子Ｂに引留めクランプ１を接続するための穴（碍子接続開口部４２）との間にある係合部６０に、クランプカバー１０の対向面２２と異なる方向で延在する延在部６６を設けることにより、クランプカバー１０の側面から間接活線工具を近づけることが可能となるため、間接活線工具による係合を容易とすることができる。
【００４４】
また、延在部６６は、対向面２２に対して４５度以上８５度以下の角度に沿って延在することが好ましい。このクランプカバー１０を用いると、碍子Ｂが障害物となることをより好適に抑制し、作業者が間接活線工具でより比較的容易にクランプカバー１０を係合することができる。
【００４５】
また、縁側電線導入開口部３２と碍子接続開口部４２との間に設けられた係合部６０は、第１カバー部２０Ａ側に、係合凸部６０Ａ、すなわち対向面２２Ａに直交する方向に突出する凸部６４Ａを有し、第２カバー部２０Ｂ側に、係合凹部６０Ｂ、すなわち凹部６４Ｂを有する。凸部６４Ａ及び凹部６４Ｂは、第１カバー部２０Ａ及び第２カバー部２０Ｂを閉じた場合に、凹部６４Ｂ内に凸部６４Ａが挿入されて、互いに係合される。このクランプカバー１０によると、作業者が高所のクランプカバー１０を間接活線工具でより比較的容易に係合することができる。
【００４６】
（第２実施形態）
次に、第２実施形態について説明する。第２実施形態に係るクランプカバー１０ａは、係合部６０ａの形状が、第１実施形態とは異なる。第２実施形態において第１実施形態と構成が共通する箇所は、説明を省略する。
【００４７】
図７は、第２実施形態に係るクランプカバーの側面図である。図８は、第２実施形態の縁側電線導入筒部の拡大内面展開図である。図７の左側は、クランプカバー１０ａを開いた開状態の図であり、右側は、クランプカバー１０ａを閉じた閉状態の図である。図８は、縁側電線導入筒部３０を正面から見た図である。図８の左側は開状態の図であり、右側は閉状態の図である。
【００４８】
図７及び図８に示すように、係合部６０ａは、第１カバー部２０Ａ側に係合挟持部６０Ａａを有し、第２カバー部２０Ｂ側に係合差込部６０Ｂａを有する。係合挟持部６０Ａａは、板部６２Ａａを有する。板部６２Ａａは、板状の部材である。図８に示すように、板部６２Ａａは、末端の接続部６２Ａ１ａが縁側電線導入筒部３０Ａに接続され、接続部６２Ａ１ａから先端部６２Ａ２ａまで延在する。板部６２Ａａは、接続部６２Ａ１ａから先端部６２Ａ２ａに向かって、方向Ｙ３に沿って延在している。方向Ｙ３は、第１カバー部２０Ａａの対向面２２Ａと反対側の面である外面２４Ａから、対向面２２Ａに向かう方向であり、すなわち対向面２２Ａに直交する方向である。先端部６２Ａ２ａは、対向面２２Ａよりも方向Ｙ３側に突出している。
【００４９】
また、図７に示すように、板部６２Ａａには、方向Ｙ３に沿って溝部６４Ａａが設けられている。溝部６４Ａａは、板部６２Ａａの先端部６２Ａ２ａを二又に分割している。溝部６４Ａａは、接続部６２Ａ１ａ側の底部６４Ａ１ａの幅が、先端部６２Ａ２ａ側の幅よりも大きくなっている。
【００５０】
図７及び図８に示すように、係合差込部６０Ｂａは、板部６２Ｂａを有する。板部６２Ｂａは、板状の部材である。図８に示すように、板部６２Ｂａは、末端の接続部６２Ｂ１ａが縁側電線導入筒部３０Ｂに接続され、接続部６２Ｂ１ａから先端部６２Ｂ２ａまで延在する。板部６２Ｂａは、接続部６２Ｂ１ａから先端部６２Ｂ２ａに向かって、方向Ｙ４に沿って延在している。方向Ｙ４は、第２カバー部２０Ｂの対向面２２Ｂと平行な面に沿った方向である。板部６２Ｂａの幅は、溝部６４Ａａの底部６４Ａ１ａの幅よりも小さく、溝部６４Ａａの先端部６２Ａ２ａ側の幅よりも大きい。また、係合差込部６０Ｂａは、第１実施形態の係合凹部６０Ｂと同様に、延在部６６が設けられている。
【００５１】
クランプカバー１０ａを閉じた場合、板部６２Ｂａは、溝部６４Ａａに対向する。また、延在部６６は、先端部６８に向かって、方向Ｘ１、すなわち対向面２２に対して３０度以上９０度以下の角度に沿って延在する（対向面２２に重なる面から遠ざかる）。作業者は、工具でこの延在部６６を把持して、延在部６６を板部６２Ａａ側に動かすことにより、板部６２Ｂａを溝部６４Ａａ、すなわち板部６２Ａａの二又の間に挿入(係合)する。これにより、係合挟持部６０Ａａと係合差込部６０Ｂａとは係合される。なお、係合される際、板部６２Ｂａは、延在部６６を介して工具からの力を受けて弾性変形するため、幅が小さい溝部６４Ａａの先端部６２Ａ２ａ側を通過可能となる。板部６２Ｂａは、幅が大きい溝部６４Ａａの底部６４Ａ１ａの位置で、変形が元に戻る。板部６２Ｂａは、力を受けて変形しない限り溝部６４Ａａの先端部６２Ａ２ａ側を通過できないため、係合挟持部６０Ａａと係合差込部６０Ｂａとは、板部６２Ｂａが溝部６４Ａａの底部６４Ａ１ａに位置している状態で、係合される。言い換えれば、係合挟持部６０Ａａと係合差込部６０Ｂａとは、板部６２Ｂａが板部６２Ａａの二又の間に挟持されることで、係合される。
【００５２】
第２実施形態に係るクランプカバー１０ａは、第１実施形態と同様に、対向面２２に対して３０度以上９０度以下の角度に沿って延在する延在部６６を有する。従って、作業者は、延在部６６を把持して動かすことで、係合凹部６０Ｂを係合凸部６０Ａに容易に係合することができる。
【００５３】
また、縁側電線導入開口部３２と碍子接続開口部４２との間に設けられた係合部６０ａは、第１カバー部２０Ａ側に、対向面２２Ａに直交する方向に突出し二又に分割する係合挟持部６０Ａａを有し、第２カバー部２０Ｂ側に、対向面２２Ｂに沿った方向に延在する係合差込部６０Ｂａを有する。係合挟持部６０Ａａ及び係合差込部６０Ｂａは、第１カバー部２０Ａ及び第２カバー部２０Ｂを閉じた場合に、係合挟持部６０Ａａの二又の間に係合差込部６０Ｂａが挟持されて、互いに係合される。このクランプカバー１０ａによると、作業者が高所のクランプカバー１０ａを間接活線工具で比較的容易に係合することができる。
【００５４】
（第３実施形態）
次に、第３実施形態について説明する。第３実施形態に係るクランプカバー１０ｂは、係合部６０ｂの形状が、第１実施形態とは異なる。第３実施形態において第１実施形態と構成が共通する箇所は、説明を省略する。
【００５５】
図９は、第３実施形態に係るクランプカバーの側面図である。図１０は、第３実施形態の電線導入筒部の拡大内面展開図である。図９の左側は、クランプカバー１０ｂを開いた開状態の図であり、右側は、クランプカバー１０ｂを閉じた閉状態の図である。図１０は、電線導入筒部３０を正面から見た図である。図１０の左側は開状態の図であり、右側は閉状態の図である。
【００５６】
図９及び図１０に示すように、係合部６０ｂは、第１カバー部２０Ａ側に係合凹部６０Ａｂを有し、第２カバー部２０Ｂ側に係合凸部６０Ｂｂを有する。係合凹部６０Ａｂは、基部６１Ａｂと板部６２Ａｂと凹部６４Ａｂとを有する。基部６１Ａｂは、縁側電線導入筒部３０Ａに接続される部材である。板部６２Ａｂは、板状の部材である。板部６２Ａｂは、末端の接続部６２Ａ１ｂが基部６１Ａｂに接続され、接続部６２Ａ１ｂから先端部６２Ａ２ｂまで延在する。板部６２Ａｂは、接続部６２Ａ１ｂから先端部６２Ａ２ｂに向かって、方向Ｘ２(延在方向)に延在している。方向Ｘ２は、対向面２２Ａに重なる平面から遠ざかる方向である。すなわち、板部６２Ａｂは、先端部６２Ａ２ｂに向かうに従って、対向面２２Ａと重なる面から遠ざかる。本実施形態では、方向Ｘ２と対向面２２Ａとの間の角度θ２は、３０度以上９０度以下であり、４５度以上８５度以下であることがより好ましい。すなわち、板部６２Ａｂは、先端部６２Ａ２ｂに向かって、対向面２２Ａに対して３０度以上９０度以下の角度に沿って延在し、対向面２２Ａに対して４５度以上８５度以下の角度に沿って延在することがより好ましい。凹部６４Ａｂは、板部６２Ａの表面に開口する穴であり、板部６２Ａｂを貫通する。
【００５７】
係合凸部６０Ｂｂは、基部６１Ｂｂと板部６２Ｂｂと凸部６４Ｂｂとを有する。基部６１Ｂｂは、縁側電線導入筒部３０Ｂに接続される部材である。板部６２Ｂｂは、板状の部材である。板部６２Ｂｂは、基端部としての接続部６２Ｂ１ｂが基部６１Ｂｂに固定されており、接続部６２Ｂ１ｂから先端部６２Ｂ２ｂまで延在する。板部６２Ｂｂは、接続部６２Ｂ１ｂから先端部６２Ｂ２ｂに向かって、方向Ｘ３に延在している。方向Ｘ３は、対向面２２Ｂと重なる面から遠ざかる方向（延在方向）である。すなわち、板部６２Ｂｂは、先端部６２Ｂ２ｂに向かうに従って、対向面２２Ｂと重なる面から遠ざかる。本実施形態では、方向Ｘ３と対向面２２Ｂとの間の角度θ３は、３０度以上９０度以下であり、４５度以上８５度以下であることがより好ましい。すなわち、板部６２Ｂｂは、先端部６２Ｂ２ｂに向かって、対向面２２Ｂに対して３０度以上９０度以下の角度に沿って延在し、対向面２２Ｂに対して４５度以上８５度以下の角度に沿って延在することがより好ましい。凸部６４Ｂｂは、板部６２Ｂｂの表面に設けられ、対向面２２Ｂに直交する方向に延在する突起である。なお、係合凸部６０Ｂｂは、基端部としての接続部６２Ｂ１ｂから先端部６２Ｂ２ｂに向かって、方向Ｘ３に延在する延在部であるということもできる。
【００５８】
図１０に示すように、クランプカバー１０ｂを閉じた場合、方向Ｘ２と方向Ｘ３は重なって同一方向となり、板部６２Ａｂの内側の表面６３Ａｂと板部６２Ｂｂの外側の表面６３Ｂｂとは、対向する。そして、作業者の工具の操作により、板部６２Ａｂと板部６２Ｂｂとが挟まれ、凹部６４Ａｂに凸部６４Ｂｂが係合（挿入）される。これにより、係合凹部６０Ａｂと係合凸部６０Ｂｂとは係合、固定される。この場合、表面６３Ａｂと表面６３Ｂｂとは、互いに密着され、密着面６３ｂを形成する。密着面６３ｂは、方向Ｘ２、方向Ｘ３に平行な面である。言い換えれば、係合凹部６０Ａｂと係合凸部６０Ｂｂとは、クランプカバー１０ｂを閉じて係合された場合に、方向Ｘ３に平行な密着面６３ｂで密着する。
【００５９】
クランプカバー１０ｂを閉じた場合、係合凹部６０Ａｂと係合凸部６０Ｂｂとは、先端部６２Ａ２ｂ、６２Ｂ２ｂに向かって方向Ｘ２（方向Ｘ３）に延在する。言い換えれば、クランプカバー１０ｂを閉じた場合、係合凹部６０Ａｂと係合凸部６０Ｂｂとは、先端部６２Ａ２ｂ、６２Ｂ２ｂに向かうに従って、対向面２２に対して３０度以上９０度以下の角度に沿って延在する（対向面２２に重なる面から遠ざかる）。図１０に示すように、先端部６２Ｂ２ｂと対向面２２に重なる平面との間の距離Ｌ２は、１ｃｍ以上４ｃｍ以下であることが好ましい。
【００６０】
図１１Ａは、図９の係合凸部と係合凹部とを係合する方法を説明するための図である。図１１Ｂは、図９の係合凸部と係合凹部とを係合する方法を説明するための図である。図１１Ａに示すように、作業者は、係合凹部６０Ａｂと係合凸部６０Ｂｂを挟むために、鉛直方向下側からの方向である方向Ｓ１から間接活線工具Ｅを近づけた場合、碍子Ｂが障害物となって、係合凹部６０Ａｂと係合凸部６０Ｂｂとを把持することができない。しかし、第３実施形態においては、クランプカバー１０ｂを閉じた場合、係合凹部６０Ａｂと係合凸部６０Ｂｂとは、先端部６２Ａ２ｂ、６２Ｂ２ｂに向かうに従って、対向面２２に対して３０度以上９０度以下の角度に沿って延在する（対向面２２に重なる面から遠ざかる）。従って、作業者は、係合凹部６０Ａｂと係合凸部６０Ｂｂとの横方向Ｓ２から、係合凹部６０Ａｂと係合凸部６０Ｂｂとに間接活線工具Ｅを近づけることができる。方向Ｓ２は、横方向であるため、碍子Ｂが障害物とならない。従って、作業者は、係合凹部６０Ａｂと係合凸部６０Ｂｂとに容易に間接活線工具を近づけることができ、図１１Ｂに示すように、間接活線工具で比較的容易に係合することが可能となる。
【００６１】
第３実施形態に係るクランプカバー１０ｂは、延在部としての係合凸部６０Ｂｂを有する。従って、作業者は、係合凸部６０Ｂｂと係合凹部６０Ａｂとを把持して動かし挟持することで、係合凸部６０Ｂｂを係合凹部６０Ａｂに容易に係合することができる。
【００６２】
また、縁側電線導入開口部３２と碍子接続開口部４２との間に設けられた係合部６０ｂは、第１カバー部２０Ａ側に係合凹部６０Ａｂを有し、第２カバー部２０Ｂ側に延在部としての係合凸部６０Ｂｂを有する。係合凹部６０Ａｂ及び係合凸部６０Ｂｂは、第１カバー部２０Ａ及び第２カバー部２０Ｂを閉じた場合に、係合凹部６０Ａｂの凹部６４Ａｂ内に係合凸部６０Ｂｂの凸部６４Ｂｂが挿入されて、互いに係合される。そのため、作業者は、係合凹部６０Ａｂ及び係合凸部６０Ｂｂに、碍子Ｂを避けた方向から間接活線工具を近づけることができる。従って、作業者は、間接活線工具でより比較的容易にクランプカバー１０ｂを係合することができる。
【００６３】
（第４実施形態）
次に、第４実施形態について説明する。第４実施形態に係るクランプカバー１０ｃは、一部が着脱可能である点で、第１実施形態と異なる。第４実施形態において第１実施形態と構成が共通する箇所は、説明を省略する。
【００６４】
図１２は、第４実施形態に係るクランプカバーの内面展開図である。図１２に示すように、第４実施形態に係るクランプカバー１０ｃは、第１本体部１２Ａｃと、第２本体部１２Ｂｃと、ヒンジ部１４ｃと、第１分割体１６Ａｃと、第２分割体１６Ｂｃと、ヒンジ部１８ｃとを有する。第１本体部１２Ａｃは、第１カバー部２０Ａと、碍子接続筒部４０Ａと、架空電線導入筒部５０Ａと、２つの底部係合凸部７０Ａと、把持部８０とを有する。第２本体部１２Ｂｃは、第２カバー部２０Ｂと、碍子接続筒部４０Ｂと、架空電線導入筒部５０Ｂと、２つの底部係合凹部７０Ｂと、把持部８０とを有する。第１本体部１２Ａｃと第２本体部１２Ｂｃとは、ヒンジ部１４ｃで開閉可能に連絡されており、一体の本体部１２ｃを形成している。第１カバー部２０Ａには、第１カバー部２０Ａの対向面２２Ａの側部（側端）に、球状縁側電線導入筒部３１Ａが設けられている。より詳しくは、球状縁側電線導入筒部３１Ａは、上縁部２３ＵＡと側縁部２３ＳＡとが形成する三角形の頂点の位置に設けられている。同様に、第２カバー部２０Ｂには、第２カバー部２０Ｂの対向面２２Ｂの側部（側端）に、球状縁側電線導入筒部３１Ａが設けられている。より詳しくは、球状縁側電線導入筒部３１Ｂは、上縁部２３ＵＢと側縁部２３ＳＢとが形成する三角形の頂点の位置に設けられている。球状縁側電線導入筒部３１Ａ、３１Ｂは、第１カバー部２０Ａと第２カバー部２０Ｂとが閉じられた際に、互いに対向して中空の球形状である球状縁側電線導入筒部３１を形成する。球状縁側電線導入筒部３１は、後述する分割体１６ｃを取り付ける先端の箇所が開口している。球状縁側電線導入筒部３１は、分割体１６ｃを取り付ける先端の箇所と反対側の末端部に、分割体１６ｃの先端を保持する溝が設けられている。
【００６５】
第１分割体１６Ａｃは、球状の縁側電線導入筒部３０Ａと、係合凹部６０Ａとを有する。第２分割体１６Ｂｃは、球状の縁側電線導入筒部３０Ｂと、係合凸部６０Ｂとを有する。第１分割体１６Ａｃと第２分割体１６Ｂｃとは、ヒンジ部１８ｃで開閉可能に連結されており、一体の分割体１６ｃを形成している。分割体１６ｃは、縁側電線導入開口部３２の反対側の箇所に、接続開口部３３が開口しており、本体部１２ｃの開口箇所の内部に取付け可能になっている。分割体１６ｃは、縁側電線導入開口部３２と碍子接続開口部４２との間に設けられた係合部６０と、縁側電線導入開口部３２を構成する球状の縁側電線導入筒部３０とを有するということができる。
【００６６】
第４実施形態に係るクランプカバー１０ｃを用いて引留めクランプ１を収納する場合、最初に、作業者は、間接活線工具を用いて開いた状態の本体部１２ｃで引留めクランプ１を覆い、底部係合凸部７０Ａと底部係合凹部７０Ｂとを係合して、第１カバー部２０Ａと第２カバー部２０Ｂとを閉じる。その後、作業者は、間接活線工具を用いて、分割体１６ｃで本体部１２ｃの球状縁側電線導入筒部３１を、挟むように覆う。分割体１６ｃの球状の縁側電線導入筒部３０は、着脱自在に嵌合する係止部となる接続開口部３３を有しており、本体部１２ｃの球状縁側電線導入筒部３１に離間困難に連結できる。これにより、引留めクランプ１のクランプカバー１０ｃへの係合は完了する。
【００６７】
第４実施形態に係るクランプカバー１０ｃは、縁側電線導入開口部３２を構成する縁側電線導入筒部３０と係合部６０とが、一体の分割体１６を構成しており、分割体１６ｃは、第１カバー部２０Ａと第２カバー部２０Ｂとに着脱可能である。言い換えれば、クランプカバー１０ｃは、球状の分割体１６ｃと、第１カバー部２０Ａ及び第２カバー部２０Ｂに設けられた球状縁側電線導入筒部３１と、を有している。球状の分割体１６ｃは、係合部６０と、球状の縁側電線導入筒部３０とを有している。球状の縁側電線導入筒部３０は、縁側電線導入開口部３２と、縁側電線導入開口部３２の反対側に開口する接続開口部３３とを形成する。球状の分割体１６ｃは、球状縁側電線導入筒部３１を挟むように覆うことで、第１カバー部２０Ａ及び第２カバー部２０Ｂに連結される。球状の分割体１６ｃは、単体で電線Ａと球状縁側電線導入筒部３１とを同時に覆うことで、碍子Ｂを避けて、球状縁側電線導入筒部３１に着脱自在に嵌合する係止部となり、互いに離間困難な連結を容易に行うことができる。そのため、分割体１６ｃは、縁側電線の導入方向に容易に着脱可能となる。
【００６８】
（比較例との比較）
次に、比較例に係る既存の形態のクランプカバー１０ｘと、第１実施形態から第４実施形態に係るクランプカバーとの取り付けの比較を、図面を用いて説明する。
【００６９】
図１３は、比較例に係るクランプカバーの内面展開図の一例である。図１４は、比較例に係るクランプカバーの正面図の一例である。図１３及び図１４に示すように、比較例に係るクランプカバー１０ｘは、係合凸部６０Ａｘ及び係合凹部６０Ｂｘが形成する係合部６０ｘが、対向面に沿って延在している。クランプカバー１０ｘは、小型かつ軽量とするため縁側電線導入部が短く、係合凹部６０Ｂｘが耐張碍子と接触する位に接近している。従って、比較例に係るクランプカバー１０ｘは、碍子Ｂが邪魔となり、係合部６０ｘを間接活線工具で係合することが困難となる。
【００７０】
図１５は、第２実施形態に係るクランプカバーの内面展開図である。図１６は、第２実施形態に係るクランプカバーの正面図である。図１７は、第３実施形態に係るクランプカバーの内面展開図である。図１８は、第３実施形態に係るクランプカバーの正面図である。図１９は、第４実施形態に係るクランプカバーの正面図である。図１２、図１３及び図１５から図１９に示すように、第１実施形態から第４実施形態に係るクランプカバーは、対向面に対して３０度以上９０度以下の角度に沿って延在する延在部を有するため、碍子Ｂの干渉を抑制して、係合部６０を間接活線工具で容易に係合することが可能となる。
【００７１】
図２０は、第４実施形態に係るクランプカバーの縁線が上方向の正面図である。図１９及び図２０に示すように、第４実施形態に係るクランプカバー１０ｃは、縁線が上方向であっても下方向であってもよい。縁線が上方向とは、図２０に示すように、分割体１６の延在方向が、球状縁側電線導入筒部３１の延在方向に対して上方向に傾斜するものを指している。また、縁線が下方向とは、図１９に示すように、分割体１６の延在方向が、球状縁側電線導入筒部３１の延在方向に対して下方向に傾斜するものを指している。
【００７２】
図２１は、第４実施形態に係る分割体と本体部とを係合方法を説明する図である。図２１に示すように、第４実施形態に係るクランプカバー１０ｃを用いて引留めクランプ１を収納する場合、最初に、開いた状態の本体部１２ｃで引留めクランプ１を覆い、本体部１２ｃを閉じる。その後、作業者は、間接活線工具を用いて、分割体１６ｃで本体部１２ｃの球状縁側電線導入筒部３１を、挟むように覆う。分割体１６ｃの球状の縁側電線導入筒部３０は、着脱自在に嵌合する係止部となる接続開口部３３を有しており、本体部１２ｃの球状縁側電線導入筒部３１に離間困難に連結できる。これにより、引留めクランプ１のクランプカバー１０ｃへの係合は完了する。
【００７３】
以上、本発明の実施形態について説明したが、これら実施形態の内容によりこの発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００７４】
１  引留めクランプ
１０  クランプカバー
１２Ａ  第１本体部
１２Ｂ  第２本体部
１４  ヒンジ部
１６、１６Ａ、１６Ｂ  分割体
２０Ａ  第１カバー部
２０Ｂ  第２カバー部
２２、２２Ａ、２２Ｂ  対向面
３０、３０Ａ、３０Ｂ  縁側電線導入筒部
３２  縁側電線導入開口部
４０、４０Ａ、４０Ｂ  碍子接続筒部
５０、５０Ａ、５０Ｂ  架空電線導入筒部
５２  架空電線導入開口部
６０  係合部
６０Ａ  係合凸部
６０Ｂ  係合凹部
６６  延在部
Ａ  電線
Ｂ  碍子
【図１】
2018007526.tif 000003
【図２】
2018007526.tif 000004
【図３】
2018007526.tif 000005
【図４】
2018007526.tif 000006
【図５】
2018007526.tif 000007
【図６】
2018007526.tif 000008
【図７】
2018007526.tif 000009
【図８】
2018007526.tif 000010
【図９】
2018007526.tif 000011
【図１０】
2018007526.tif 000012
【図１１Ａ】
2018007526.tif 000013
【図１１Ｂ】
2018007526.tif 000014
【図１２】
2018007526.tif 000015
【図１３】
2018007526.tif 000016
【図１４】
2018007526.tif 000017
【図１５】
2018007526.tif 000018
【図１６】
2018007526.tif 000019
【図１７】
2018007526.tif 000020
【図１８】
2018007526.tif 000021
【図１９】
2018007526.tif 000022
【図２０】
2018007526.tif 000023
【図２１】
2018007526.tif 000024